(57)【要約】      （修正有）【課題】机や家具などの材質、処理、形状などに大きく左右されず、簡単な操作で手荷物などの部材を安定して吊り下げ保持できるとともに、表面に傷を付けることが無い、簡易、小型、設置自在、携帯に便利な簡易保持具を提供する。【解決手段】ベルト固定部、ベルト押圧部を備える屈曲形状で硬質なベース１、裏面に摩擦係数の大きな滑り止め機能を備える軟質なベルト２、ならびに手荷物などを吊り下げる保持具４から成り、ベース片辺の所定位置でベルト表面をベース内面に接触対向させて固定し、ベース他辺に形成するベルト押圧部がベルト裏面の滑り止め機能３上の表面を押圧可能にベルト長さ、滑り止め機能の配置を設定し、固定部近傍のベースまたはベルトに備える保持具に手荷物６などを吊り下げることにより、手荷物による荷重、ならびに滑り止め機能による摩擦作用により、手荷物などを机や家具などの垂直側面に吊り下げることが出来るベルトフック。【選択図】図２
0003153529.tif 000002
【実用新案登録請求の範囲】
【請求項１】
ベルト固定部，ベルト押圧部を備える屈曲形状で硬質なベース，裏面に摩擦係数の大きな滑り止め機能を備える軟質なベルト，ならびに手荷物などを吊り下げる保持具から成り，ベース片辺の所定位置でベルト表面をベース内面に接触対向させて固定し，ベース他辺に形成するベルト押圧部がベルト裏面の滑り止め機能上の表面を押圧可能にベルト長さ，滑り止め機能の配置を設定し，固定部近傍のベースまたはベルトに手荷物などの保持具を備える簡易保持具において，ベースの片辺を机などの側面側に，他辺を上面側に配置して，ベルト裏面の滑り止め機能を机や家具などの側面，エッジコーナー，上面に接触させ，ベルト表面にベース内面を重ね，かつ保持具に手荷物などを吊り下げることにより，手荷物による荷重，ならびに滑り止め機能による摩擦作用により，手荷物などを机や家具などの垂直側面に吊り下げることが出来る，簡易，小型，設置自在，携帯に便利なベルトフック。
【請求項２】
ベース他辺のベルト押圧部，ならびにこの押圧部に接触するベルト表面の何れか，または両方に摩擦係数の大きな滑り止め機能を備えることにより，ベースとベルトの摩擦作用を強化する，請求項１に記載する，簡易，小型，設置自在，携帯に便利なベルトフック。
【考案の詳細な説明】
【技術分野】
【０００１】ベルト固定部，ベルト押圧部を備える屈曲形状で硬質なベース，裏面に摩擦係数の大きな滑り止め機能を備える軟質なベルト，ならびに手荷物などを吊り下げる保持具から成り，ベース片辺の所定位置でベルト表面をベース内面に接触対向させて固定し，ベース他辺に形成するベルト押圧部がベルト裏面の滑り止め機能上の表面を押圧可能にベルト長さ，滑り止め機能の配置を設定し，固定部近傍のベースまたはベルトに手荷物などの保持具を備える簡易保持具において，ベースの片辺を机などの側面側に，他辺を上面側に配置して，ベルト裏面の滑り止め機能を机や家具などの側面，エッジコーナー，上面に接触させ，ベルト表面にベース内面を重ね，かつ保持具に手荷物などを吊り下げる，簡易，小型，設置自在，携帯に便利なベルトフック。
【背景技術】
【０００２】家庭や出先で手荷物などの部材を机や家具などに引っ掛けて吊るす保持具は大変重宝であり，机などの表裏面を支持部材で挟み込んで吊り下げる方法，表面に支持部材を載せて吊り下げる方法，吸盤，磁石などで吊り下げる方法など種々が実用化されている。しかし，表裏面を支持部材で挟み込む方法では，表裏面の板厚が厚いと挟み込みが出来ない。表面に支持部材を載せる方法では，側面に内側への空間が無い垂直側面の場合は支持部材を保持し難く部材を吊るすには難点がある。吸盤による方法は，机など表面の材質，処理によっては吸着できない場合が有り，磁石による方法では，冷蔵庫など側面が鉄板などの強磁性体でないと機能しない。また，支持部材の素材や形状によっては机などの板面に傷を付けることが有るなど，それぞれ種々の課題を抱えている。
【考案が解決しようとする課題】
【０００３】机や家具などの材質，処理，形状などに大きく左右されず，表裏面の板厚や側面に空間が無い垂直側面においても影響を受けず，簡単な操作で手荷物などの部材を安定して吊り下げ保持できるとともに，表面に傷を付けることが無い，簡易，小型，設置自在，携帯に便利な簡易保持具を実現する。
【課題を解決するための手段】
【０００４】ベルト固定部，ベルト押圧部を備える屈曲形状で硬質なベース，裏面に摩擦係数の大きな滑り止め機能を備える軟質なベルト，ならびに手荷物などを吊り下げる保持具から成り，ベース片辺の所定位置でベルト表面をベース内面に接触対向させて固定し，ベース他辺に形成するベルト押圧部がベルト裏面の滑り止め機能上の表面を押圧可能にベルト長さ，滑り止め機能の配置を設定し，固定部近傍のベースまたはベルトに備える保持具に手荷物などを吊り下げることにより，手荷物による荷重，ならびに滑り止め機能による摩擦作用により，手荷物などを机や家具などの垂直側面に吊り下げることが出来るベルトフック。
【考案の効果】
【０００５】ベルトの滑り止め機能を机や家具などの側面，エッジコーナー，ならびに上面に接触させて，上にベースを重ねるとともに，保持具に手荷物などを吊り下げる簡単な操作によって，手荷物による荷重，ならびに滑り止め機能による摩擦作用により，手荷物などを机や家具などの垂直側面に吊り下げることが出来，机や家具などの材質，処理，形状などに大きく左右されず，表裏面の板厚や側面に空間が無い垂直側面においても影響を受けずに部材を安定して吊り下げ保持できるとともに，表面に傷を付けることが無い，簡易，小型，設置自在，携帯に便利な簡易保持具が実現される。
【考案を実施するための形態】
【０００６】図１は本考案によるベルトフックの概略斜視図を示す。１は金属または樹脂材で形成する硬質で屈曲したベース，２は軟質なナイロン材などで形成されるベルト，３はゴム材などで形成される摩擦係数の大きな滑り止め機能，４は手荷物などを吊り下げる保持具を示し，ベース片辺の内面１−２の所定位置に，軟質なベルトの表面を接触させてリベットなどの固定具５で固定する。ベース１の他辺の先端部１−１はベルト押圧部であり，折り返してベルト２への押圧性を高めている。ベルトの裏面２−１は摩擦係数の大きな滑り止め機能３を備え，かつ固定部５近傍のベースまたはベルトに手荷物などの保持具４を備えてベルトフックを構成する。
【０００７】図２は本考案によるベルトフックを机のエッジコーナーに装着した概念図を示す。ベルトの滑り止め機能３を机や家具などの側面７，エッジコーナー８，ならびに上面９に接触させて，ベース１をベルト２に重ね，かつ保持具４に手荷物６などを吊り下げることにより，手荷物の荷重により滑り止め機能３が，机などの側面７，エッジコーナー８，ならびに上面９に押圧され，摩擦力によりベルトフックのズリが規制される。単にエッジコーナー８のみを滑り止め機能で押圧する構成では，手荷物などの荷重が重くなるほど，コーナーの滑り止め機能には強いズリ力が加わり，荷重が限度を超えるとベルトはズリ始めるが，本考案では，先端部１−１のベルト押圧部によりベルトの表面を押圧することにより，滑り止め機能が机の上面を押圧することにより，強い摩擦作用により滑りが阻止される。押圧力は手荷物などの荷重が重くなればなるほど大きくなり，ベルトの裏面の滑り止め機能３を机などの上面に押し付ける力が増してズリを止める作用が強くなるため，ズリは全く生じない。
【０００８】一般的には，机など断面構造のエッジコーナーに硬質で屈曲したベースを装着して手荷物などを吊り下げる場合は，机のエッジコーナーを回転軸とする梃子の理により，ベースは回転して手荷物ごと机から脱落するが，本考案ではこの様な作用をベルトの滑り止め機能と，ベルトに重ねる硬質で屈曲したベースと，手荷物などの荷重の総合作用により完全に防ぐことに大きな特徴が有り，従来は不可能であった垂直断面への手荷物の吊り下げを可能としている。エッジコーナーにおける梃子作用を回避するためには，ベースの屈曲部はＬ字形状より円弧形状に形成して机などのエッジコーナーを逃げる形状が望ましい。なお，滑り止め機能を押圧する素材として軟質なベルトを使用する理由は，直角，円弧など多様な形状のエッジコーナーに柔軟に密接させるためである。請求項２は図３に示すとおり，ベースが接触するベルトの表面部分にも滑り止め機能１０を装着し，机などとのズリはベルト裏面の滑り止め３で防ぎ，さらにベース１のベルト面のズレはベルトの表面の滑り止め１０によって防ぐ構成がとられ，ほぼ完璧なズリ防止が機能する。
【実施例】
【０００９】ベースはステンレス材で止め具側の片辺１２０ｍｍ，他辺８０ｍｍ，幅２０ｍｍ，厚さ３ｍｍ，ベルトはナイロン材で長さ２２０ｍｍ，幅２０ｍｍ，厚さ１．３ｍｍ，滑り止め機能はシリコンスポンジ材による滑り止め材をベルトに装着して構成し，保持材はナイロン材，固定具はアルミ材を使用した。手荷物などの耐重量は，ベース，ベルト，滑り止め機能，保持具などの強度によるが，これらの強度が十分であれば重量制限は特には無い。実施例ではベルトと滑り止め機能を別材としたが滑り止め機能とベルトを一体で形成しても良い。ベースの先端部をベルト面側に折り曲げているが，折り曲げずに平坦であってもベース内面がベルト表面を押圧出来れば良く，ベルトとの摩擦機能はベースの他辺の内面に滑り止めの凹凸やスリットを形成する方法でも良い。保持具はベース，ベルトのいずれに装着しても良く，ベースはナイロンなどの合成樹脂，ベルトはビニール，保持材はアルミなど，使用する素材，各種ディメンジョン，形状などに関しては，本考案の趣旨を逸脱しない範囲であれば種々変形実施が可能である。
【図面の簡単な説明】
【００１０】
【図１】本考案によるベルトフックの概略斜視図を示す。
【図２】本考案によるベルトフックを机のエッジコーナーに装着した概念図を示す。
【図３】請求項２に記載するベルトフックの概略斜視図を示す。
【符号の説明】  １        ベース                    ４    保持具
１−１    ベース他辺のベルト押圧部  ５    固定具
１−２    ベース片辺の内面          ６    手荷物
１−３    ベース他辺の内面          ７    机の側面
２        ベルト                    ８    机のエッジコーナー
２−１    ベルト裏面                ９    机の上面
３        滑り止め機能            １０    滑り止め機能
【図１】
0003153529.tif 000003
【図２】
0003153529.tif 000004
【図３】
0003153529.tif 000005
【手続補正書】
【提出日】平成21年6月29日(2009.6.29)
【手続補正１】
【補正対象書類名】明細書
【補正対象項目名】０００９
【補正方法】変更
【補正の内容】
【０００９】ベースはステンレス材で片辺１２０ｍｍ，他辺８０ｍｍ，幅２０ｍｍ，厚さ３ｍｍ，ベルトはナイロン材で長さ２２０ｍｍ，幅２０ｍｍ，厚さ１，３ｍｍ，滑り止め機能はシリコンスポンジ材による滑り止め材をベルトに装着して構成し，保持材はナイロン材，固定具はアルミ材を使用した。手荷物などの耐重量は，ベース，ベルト，滑り止め機能，保持具などの強度によるが，これらの強度が十分であれば重量制限は特に無い。実施例ではベルトと滑り止め機能を別材としたが滑り止め機能とベルトを一体で形成しても良い。また，ベースは必ずしも一体ではなく，片辺と他辺などに分離された複数の部品を結合して形成する構造，片辺と他辺とが蝶番状に連結されている構造，ベルトに関しても，固定部より以前と以後は一体の必要は無く分離されていても良く，滑り止め機能３，１０はそれぞれ一体の必要はなく，複数に分離されたものを適切な間隔でベルトの所定位置に装着しても良いなど種々の構成が考えられる。ベースの先端部をベルト面側に折り曲げているが，折り曲げずに平坦であってもベース内面がベルト表面を押圧出来れば良く，ベルトとの摩擦機能はベースの他辺の内面に滑り止めの凹凸やスリットを形成する方法でも良い。保持具はベース，ベルトのいずれに装着しても良く，ベースはナイロンなどの合成樹脂，ベルトはビニール，保持材はアルミなど，使用する素材，各種ディメンジョン，形状などに関しては，本考案の趣旨を逸脱しない範囲であれば種々変形実施が可能である。